(57)【要約】【課題】本考案は、浴室や壁面で使用する場合でも、よりコンパクトに収納可能な物干し具を提供する。【解決手段】上下に延びて設置された支柱２が挿通する貫通穴１１と、側方に突出して上下方向に離間して並ぶように設けられた第１突出片１２及び第２突出片１３とを有し、支柱２に対して摺動可能とされた摺動部１０と、第１突出片１２に、一端２２が水平方向を向く軸まわりに回動可能に連結された竿部２０と、第２突出片１３に、一端３０ａが水平方向を向く軸まわりに回動可能に連結され、摺動部１０に対して回動された竿部２０に他端３０ｂを連結させて保持する保持部３０とを有する。【選択図】図１
0003207197.tif 000002
【実用新案登録請求の範囲】
【請求項１】
上下に延びて設置された支柱が挿通する貫通穴と、側方に突出して上下方向に離間して並ぶように設けられた第１突出片及び第２突出片とを有し、前記支柱に対して摺動可能とされた摺動部と、
第１突出片に、一端が水平方向を向く軸まわりに回動可能に連結された竿部と、
第２突出片に、一端が水平方向を向く軸まわりに回動可能に連結され、前記摺動部に対して回動された前記竿部に他端を連結させて保持する保持部とを有する物干し具。
【請求項２】
第１突出片が、第２突出片よりも上方に設けられる請求項１に記載の物干し具。
【請求項３】
第１突出片が、第２突出片よりも下方に設けられる請求項１に記載の物干し具。
【請求項４】
前記摺動部を前記支柱に固定する固定部を有する請求項１〜３の何れか一項に記載の物干し具。
【請求項５】
前記摺動部には、前記貫通穴の軸方向に沿って前記貫通穴に連通する溝部が形成された請求項１〜４の何れか一項に記載の物干し具。
【請求項６】
前記竿部には、前記保持部の他端に係合する係合部を有し、
該係合部は、前記竿部の軸方向における前記保持部の他端の移動を規制する規制部と、
該規制部から前記竿部の軸方向に延出された延出部とを有する請求項１〜５の何れか一項に記載の物干し具。
【請求項７】
前記支柱を有する請求項１〜６の何れか一項に記載の物干し具。
【請求項８】
前記支柱が、その軸方向の長さを変化可能な複数の部材を有する請求項７に記載の物干し具。
【考案の詳細な説明】
【技術分野】
【０００１】
本考案は、物干し具に関し、特に、支柱と共に用いられる物干し具に関する。
【背景技術】
【０００２】
従来より、服などを室内で乾燥させるための物干し具が各種提案されている。このような物干し具の例として、物干し具として使用しないときに折り畳んでコンパクトにすることにより収納を容易にする物干し具が特許文献１及び特許文献２に開示されている。
特許文献１には、Ｘ字状をなす一対の脚体を有し、それら脚体同士が回動可能に接続され、物干し具として使用しないときは板形状に折り畳んで収納しやすい構成を備えた物干し具が開示されている。
また、特許文献２には、壁面に取り付けられる本体部と、その本体部と回動可能に接続されたアーム部とで構成され、使用していないときは上記本体部内に上記アーム部が収納される構成の物干し具が開示されている。
【先行技術文献】
【特許文献】
【０００３】
【特許文献１】特開２０１０−１２１４１号公報
【特許文献２】特開２０１４−５０５１５号公報
【考案の概要】
【考案が解決しようとする課題】
【０００４】
最近では、浴室内でも洗濯物を乾かす例が増えており、特許文献１に記載の折り畳み可能な物干し具を用いた場合、浴室の大部分を占め、浴室内で取りまわすことが困難となることがあった。よって、浴室内で使用する場合においても、よりコンパクトに収納可能な物干し具が求められていた。
また、特許文献２に記載の物干し具のように、壁面に取り付けられる物干し具にあっても、収納時の本体部の存在感が大きく、使用者に違和感を与えることもあった。よって、壁面やその近傍で使用する場合においても、存在感を抑え、よりコンパクトに収納可能な物干し具が求められていた。
【０００５】
本考案は上記課題に着目してなされたものであり、その目的は、浴室や壁面で使用する場合でも、よりコンパクトに収納可能な物干し具を提供することにある。
【課題を解決するための手段】
【０００６】
上記目的を達成するための物干し具のある態様は、上下に延びて設置された支柱が挿通する貫通穴と、側方に突出して上下方向に離間して並ぶように設けられた第１突出片及び第２突出片とを有し、上記支柱に対して摺動可能とされた摺動部と、
第１突出片に、一端が水平方向を向く軸まわりに回動可能に連結された竿部と、
第２突出片に、一端が水平方向を向く軸まわりに回動可能に連結され、上記摺動部に対して回動された上記竿部に他端を連結させて保持する保持部とを有する。
【０００７】
ここで、上記物干し具においては、第１突出片が、第２突出片よりも上方に設けられてもよい。すなわち、上記摺動部の第１突出片に連結される上記竿部の一端が、上記摺動部の第２突出片に連結される上記保持部の一端よりも上方に位置してよい。
また、上記物干し具においては、第１突出片が、第２突出片よりも下方に設けられてもよい。すなわち、上記摺動部の第２突出片に連結される上記保持部の一端が、上記摺動部の第１突出片に連結される上記竿部の一端よりも上方に位置してよい。
また、上記物干し具においては、上記摺動部を上記支柱に固定する固定部を有してもよい。
また、上記物干し具においては、上記摺動部には、上記貫通穴の軸方向に沿って上記貫通穴に連通する溝部が形成されてもよい。
【０００８】
また、上記物干し具においては、上記竿部には、上記保持部の他端に係合する係合部を有し、
該係合部は、上記竿部の軸方向における上記保持部の他端の移動を規制する規制部と、
該規制部から上記竿部の軸方向に延出された延出部とを有してもよい。
また、上記物干し具においては、上記支柱を有してもよい。
また、上記物干し具においては、上記支柱を有すると共に、上記支柱が、その軸方向の長さを変化可能な複数の部材を有するものでもよい。
【考案の効果】
【０００９】
本考案の一態様によれば、浴室や壁面で使用する場合でも、よりコンパクトに収納可能な物干し具を提供することができる。
【図面の簡単な説明】
【００１０】
【図１】物干し具の一実施形態における構成を示す側面図である。
【図２】物干し具の一実施形態における使用状態を示す側面図である。
【図３】（ａ）は物干し具の一実施形態における正面下方から見た斜視図、（ｂ）は物干し具の一実施形態における背面下方から見た斜視図、（ｃ）は物干し具の一実施形態における平面図、（ｄ）は物干し具の一実施形態における底面図、（ｅ）は物干し具の一実施形態における背面図、（ｆ）は物干し具の一実施形態における正面図である。
【図４】物干し具の一実施形態における使用前状態を示す斜視図である。
【図５】物干し具の一実施形態における使用状態を示す側面図である。
【図６】（ａ）は物干し具の他の実施形態における使用前状態を示す斜視図であり、（ｂ）は物干し具の他の実施形態における使用状態を示す斜視図である。
【図７】（ａ）は物干し具の他の実施形態における使用状態を示す側面図であり、（ｂ）は物干し具の他の実施形態における摺動部の構成を示す背面下方から見た斜視図である。
【考案を実施するための形態】
【００１１】
以下、物干し具の一実施形態について図１〜図５を用いて説明する。なお、以下の説明では、支柱の長手方向がほぼ鉛直方向となるように、天井と床との間に設置した態様を例示しているため、「水平方向」等の表現があるが、竿部の姿勢が洗濯物の乾燥を妨げない方向であれば、厳密な「水平方向」に限られない。
【００１２】
（物干し具の構成）
図１〜図３に示すように、本実施形態の物干し具１は、摺動部１０と、竿部２０と、保持部３０とを有する。
＜摺動部＞
摺動部１０は、貫通穴１１と、第１突出片１２と、第２突出片１３とを有する。また、摺動部１０は、必要に応じて後述する固定部４０等、その他の部材を有する。また、摺動部１０には溝部１５（図７（ｂ）参照）が形成されてもよい。摺動部１０の材料は、その機能を損なわない限り特に制限はないが、例えば、加工容易性の高さから樹脂製が好ましい。
【００１３】
［貫通穴］
貫通穴１１は、支柱２が挿通する貫通穴であり、これに挿通された支柱２に対して摺動部１０を摺動可能としている。なお、図示はしないが、例えば、支柱２の外周面に対して付勢する付勢部材を貫通穴１１の内周面に設け、支柱２に対して摺動部１０が通常は停止（固定）され、使用者によって摺動可能とされた機構を設けてもよい。
【００１４】
［支柱］
支柱２は、その両端部が、物干し具１を設置する家屋内（例えば、浴室）の天井と床とにそれぞれ付勢して上下方向に突っ張って自身の姿勢を維持する柱である。すなわち、支柱２は上下に延びて家屋内の天井と床との間に設置される。
この支柱２は、その軸方向の長さを変化可能な複数の部材からなるものでもよい。例えば、図４及び図５に示すように、支柱２は、径が異なる２本の円筒部材２Ａ，２Ｂを入れ子式に組み合わせて連結し、これらの連結部分の強度を連結部材２Ｃで補強する構成としてもよい。また、２本の同径の円筒部材２Ａ，２Ｂと、これらを連結する連結部材２Ｃとから構成された態様でもよい。支柱２を構成する複数の部材は２本に限られない。支柱２の材料は、その機能を損なわない限り特に制限はないが、例えば、円筒部材２Ａ，２Ｂの材料を金属とすることが強度上好ましく、連結部材２Ｃの樹脂としては金属や樹脂が挙げられる。
ここで、本実施形態の物干し具１は、支柱２を含む構成としてもよい。
【００１５】
［第１突出片］
第１突出片１２は、摺動部１０の側方に突出するように設けられる。第１突出片１２は、水平方向に対をなして設けられ、それぞれには水平方向に貫通する穴が形成されている。
［第２突出片］
第２突出片１３は、第１突出片１２と同様に摺動部１０の側方に突出するように設けられる。第２突出片１３は、摺動部１０において、第１突出片１２と上下方向に離間して並ぶように設けられる。第２突出片１３は、水平方向に対をなして設けられ、それぞれには水平方向に貫通する穴が形成されている。
【００１６】
第２突出片１３には、後述する保持部３０が水平方向を向く軸まわりに回動可能となるように、その一端３０ａが連結されている。例えば、第２突出片１３の穴と、保持部３０の一端３０ａをその軸方向と直交する方向に貫通して設けられた穴とに軸部材が挿入されて、摺動部１０に対して、保持部３０の一端３０ａが水平方向を向く軸まわりに回動可能に連結される。この「水平方向を向く軸」は、上記軸部材に相当する。なお、保持部３０の他端３０ｂは、摺動部１０に対して離れる向きに回動された状態の竿部２０に連結される。
【００１７】
ここで、上記「側方」は、摺動部１０の貫通穴１１の軸方向を基準とした側方を指す。また、上記「水平方向」は、摺動部１０の貫通穴１１の軸方向を「鉛直方向」と仮定した場合にその方向に直交する方向として規定したものであり、竿部２０の姿勢が洗濯物の乾燥を妨げない方向とならなければ、厳密な「水平方向」に限られない。
さらに、第１突出片１２及び第２突出片１３は、摺動部１０からほぼ同じ側方に膨出するようにして突出していることが好ましい。また、第１突出片１２は、第２突出片１３よりも大きいことが好ましい。
【００１８】
［固定部］
摺動部１０は、摺動部１０自身を支柱２に固定する固定部４０を有してもよい。具体的には、摺動部１０における貫通穴１１の軸方向の端部に、ねじ溝が外周面に形成された領域を固定部設置部１４として形成し、この固定部設置部１４に、内周面にねじ溝が形成された円筒形状の固定部４０を螺合させる。ここで、図３（ａ）に示すように、固定部設置部１４には、端部に連通した上記軸方向に沿うスリット１４ａが周方向に沿って１つ以上形成されていることが好ましい。
このスリット１４ａが固定部設置部１４に形成されることにより、固定部４０を固定部設置部１４に螺合させるに従って当該領域の径が狭まり、支柱２の外周面を固定部４０の内周面が押圧し、固定部４０を固定させることができる。
【００１９】
＜竿部＞
竿部２０は、長尺状の部材である竿本体２１と、その竿本体２１の一端（竿部２０の一端）に固定された竿受け部２２とを有する。竿本体２１の長手方向の長さや断面形状は、洗濯物の乾燥を妨げない構造であれば、目的に応じて適宜選択されるが、断面形状は円形が好ましい。竿部２０の材料は、その機能を損なわない限り特に制限はないが、例えば、竿本体２１の材料としては、金属や樹脂が挙げられ、竿受け部２２の材料としては樹脂が挙げられる。
【００２０】
竿受け部２２には、竿本体２１の長手方向に応じた方向に直交する方向に貫通する穴が形成されている。そして、第１突出片１２の穴と竿受け部２２の穴とに軸部材が挿入されて、摺動部１０に対して、竿部２０の一端２２が水平方向を向く軸まわりに回動可能に連結される。この「水平方向を向く軸」は、上記軸部材に相当する。
ここで、竿部２０は、竿本体２１のみで構成されてもよい。その場合、竿本体２１の一端には、竿本体２１の長手方向に直交する方向に貫通する穴が形成されることになる。そして、第１突出片１２の穴と竿本体２１の穴とに軸部材が挿入されて、摺動部１０に対して、竿部２０（竿本体２１）の一端２２が水平方向を向く軸まわりに回動可能に連結される。
【００２１】
＜係合部＞
図１に示すように、竿部２０には、摺動部１０に対して離れる向きに回動された状態の竿部２０に、後述する保持部３０の他端３０ｂが連結される対象の一態様として、係合部２３が設けられることが好ましい。
具体的に、係合部２３は、図１に示すように竿部２０を収容した状態において、第２突出片１３に対向する位置に設けられる。係合部２３は竿部２０の一端に設けられた竿受け部２２の外周面に設けられることが好ましい。そして、係合部２３には、摺動部１０から離れる向きに回動された状態の竿部２０に対して、同様に摺動部１０から離れる向きに回動させた保持部３０（後述）の他端３０ｂが係合される（図２参照）。
この係合部２３は、規制部２４と延出部２５とを有している。規制部２４は、竿部２０の軸方向における保持部３０の他端３０ｂの移動を規制する部材である。また、延出部２５は、規制部２４から竿部２０の軸方向に延出された部材である。本実施形態では、図１に示すように、係合部２３の延出部が竿部２０の一端２０ａ側に向かって延出する構成が好ましい。
【００２２】
＜保持部＞
保持部３０は、その一端３０ａが、水平方向を向く軸まわりに回動可能に第２突出片１３に連結されている。そして、保持部３０の他端３０ｂは、摺動部１０に対して回動された竿部２０に連結することによって竿部２０を、洗濯物等が掛けられる姿勢（例えば、ほぼ水平）に保持する部材である。
保持部３０は、例えばＵ字形状の両端部分を外方又は内方に曲げた形状をなす部材であり、その両端部分は、第２突出片１３の穴に保持部３０の回動軸として機能するように挿入される。保持部３０の材料は、竿部２０を保持できれば特に制限はなく、目的に応じて適宜選択されるが、棒状の金属が好ましい。
また、保持部３０の長手方向（回動軸に直交する方向）の長さは、竿部２０より短く、かつ他端３０ｂを竿部２０に連結した際に、竿部２０に掛けられた洗濯物の乾燥を妨げないように竿部２０の姿勢を保持する長さに設定される。保持部３０の好ましい長さは、図２に示すように、他端３０ｂを係合部２３に係合した際に、竿部２０が水平もしくはそれよりも仰角を有する姿勢を保持する長さである。
【００２３】
（物干し具の設置方法）
次に、物干し具の一実施形態における設置方法について図４及び図５を用いて以下に説明する。
図４に示すように、まず、例えば２つの摺動部１０，１０のそれぞれの貫通穴１１，１１に支柱２を挿通させる。これら摺動部１０，１０のそれぞれには、竿部２０及び保持部３０が設けられている。また、支柱２は、２本の同径の円筒部材２Ａ，２Ｂと、これらを連結する連結部材２Ｃとから構成されている。さらに、支柱２は軸方向に長さが変化する機構を有して構成されている。
【００２４】
次に、支柱２の両端部を、キャップ２Ｄ，２Ｄを介して物干し具１を設置する家屋内（例えば、浴室）の天井と床とにそれぞれ付勢して上下方向に突っ張らせて設置する。この状態が、物干し具１の使用前状態である。
次に、図５に示すように、それぞれの摺動部１０に設けられた竿部２０を、その一端の竿受部２２の水平方向を向く軸まわりに回動させる。
そして、竿部２０の長手方向が水平方向よりも仰角を有する程度に回動された状態で、保持部３０を、その一端３０ａの水平方向を向く軸まわりに回動させて、他端３０ｂを竿部２０の係合部２３に係合させて竿部２０の姿勢を保持する。このようにして、物干し具１が使用状態となる。
【００２５】
以上説明したように、本実施形態の物干し具１は、図１に示す竿部２０を収容した状態では、竿部２０が支柱２に沿って保持部３０と同様に垂れ下がっているので、浴室内等で場所も取らず、支柱２と同等の存在感で使用者に違和感を与えづらい。
また、竿部２０を回動させて保持する動作が、保持部３０の回動及び係合部２３への係合によるため、使用者にとっては簡易で操作しやすい。
これにより、物干し具１は、浴室や壁面で使用する場合でも、よりコンパクトに収納可能な物干し具として提供することができる。
【００２６】
（他の実施形態）
以下、物干し具の他の実施形態について図６及び図７を用いて説明する。
物干し具１の他の実施形態として、図６（ａ）に示すように、物干し竿Ｂを保持するＣ字状の保持片５１を備えた保持具５０を竿部２０に複数設置してもよい。
この態様では、図６（ｂ）に示すように、天井Ｕと床Ｌとの間に設置された１対の支柱２，２に、保持具５０、竿部２０、及び保持部３０を備えた摺動部１０をそれぞれ２つずつ、竿部２０の回動方向が同じになるように設置する。
そして、離間した支柱に設けられた摺動部１０の竿部２０を橋渡しするように、保持具５０に物干し竿Ｂを設置する。
このような態様とすることで、壁面に物干し具１を設置する場合においても、収納時の存在感が大きくなく、使用時には物干し竿Ｂを用いて大量の洗濯物の乾燥を実現することができ、使用者に違和感を与えることが少なくなる。よって、よりコンパクトに収納可能な物干し具を提供することができる。
【００２７】
［変形例１］
また、上述の実施形態では、第１突出片１２が、第２突出片１３よりも上方に設けられる摺動部１０について説明したが、摺動部１０における第１突出片１２の位置を、第２突出片１３の位置よりも下方に設けてもよい。具体的には、物干し具１の他の実施形態として、図７（ａ）に示すように、突出片１３よりも上方に設けられる摺動部１０の他に、第１突出片１２が、第２突出片１３よりも下方に設けられる摺動部１０を設ける態様である。
ここで、第１突出片１２が第２突出片１３よりも下方に設けられた態様は、すなわち、第２突出片１３に連結される保持部３０の一端３０ａが第１突出片１２に連結される竿部２０の一端２０ａよりも上方に位置している態様である。
この態様では、係合部２３の延出部が竿部２０の他端２０ｂ側に向かって延出する構成が好ましい。また、保持部３０は、竿部２０との連結にあたって、竿部２０を吊り下げ可能な部材であればよいので、上述のような形状や材料に限られず、紐状のものでもよい。
【００２８】
［変形例２］
また、物干し具１の他の実施形態として、図７（ｂ）に示すように、摺動部１０に、貫通穴１１の軸方向に沿って貫通穴１１に連通する溝部１５が設けられてもよい。この溝部１５は、摺動部１０の背面側に形成されることが好ましい。なお、上記「摺動部１０の背面側」とは、第１突出片１２及び第２突出片１３が突出する向きと反対側の向きを指す。
このように、溝部１５を摺動部１０に形成することにより、摺動部１０を支柱２の端部から挿通させて設置することなく、天井と床との間に既設された支柱２に対して摺動部１０を横から装着したり、摺動部１０の増設が可能となる。
【００２９】
本考案は、上記実施形態に限らず種々の変形が可能である。
上記の実施形態は、本考案の技術的思想を具体化するための装置を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【００３０】
１    物干し具
２    支柱
１０  摺動部
１１  貫通穴
１２  第１突出片
１３  第２突出片
１４  固定部取付部
１５  溝部
２０  竿部
２０ａ  （竿部の）一端
２０ｂ  （竿部の）他端
２１  竿本体
２２  竿受部（竿部の一端）
２３  係合部
３０  保持部
３０ａ  （保持部の）一端
３０ｂ  （保持部の）他端
４０  固定部
【図１】
0003207197.tif 000003
【図２】
0003207197.tif 000004
【図３】
0003207197.tif 000005
【図４】
0003207197.tif 000006
【図５】
0003207197.tif 000007
【図６】
0003207197.tif 000008
【図７】
0003207197.tif 000009